(57)【要約】      （修正有）【課題】幅小で小型化が可能であって放熱性を有するＬＥＤ照明器具を提供する。【解決手段】ＬＥＤ照明器具１は、ＬＥＤモジュール２と、ＬＥＤモジュール２の基板９が取付けられた金属製の放熱板３と、一対の長形の側板１２，１２が正対し、開口１７を形成するように設けられた一対の端板１３，１３を有し、放熱板３が開口１７に露出するように基板９が一対の側板１２，１２間に配設された器具本体４と、造営物９に取付けられたシャーシ５と、シャーシ５または造営物９と器具本体４の一対の側板１２，１２の上端縁との間に器具本体４の内側と器具本体４の外部空間とを連通する隙間３７が形成されるように器具本体４をシャーシ５に取付ける取付手段６を具備している。【選択図】図１
2011187316.tif 000002
【特許請求の範囲】
【請求項１】
発光ダイオードが一方の面側に実装された長形の基板を有するＬＥＤモジュールと；
前記基板の他方の面側が取付けられた金属製の放熱板と；
一対の長形の側板と、この一対の側板が正対し一対の側板の短手方向の上端間に開口を形成するように一対の側板の長手方向の両端にそれぞれ設けられた一対の端板を有し、放熱板が前記開口に露出するように前記基板が一対の側板間に一対の側板の長手方向に沿って配設された器具本体と；
造営物に取付けられたシャーシと；
シャーシまたは造営物と器具本体の一対の側板の上端縁との間に器具本体の内側と器具本体の外部空間とを連通する隙間が形成されるように器具本体をシャーシに取付ける取付手段と；
を具備していることを特徴とするＬＥＤ照明器具。
【請求項２】
シャーシは、前記発光ダイオードを点灯する点灯装置を配設し、この点灯装置が前記開口から前記一対の側板間に収容されるように器具本体が取付けられていることを特徴とする請求項１記載のＬＥＤ照明器具。
【発明の詳細な説明】
【技術分野】
【０００１】
発光ダイオードを光源とし、その放射光を照明に利用する天井等の造営物に取付けられるＬＥＤ照明器具に関する。
【背景技術】
【０００２】
この種のＬＥＤ照明器具は、消費電力が低く、ランプ交換などの保守作業を半永久的に要しないなどの理由により、従来の蛍光灯照明器具の代替品として開発が進められ、普及しつつある。しかし、ＬＥＤ照明器具は、通常、複数個の発光ダイオードが基板に実装されてＬＥＤモジュール化されているので、個々の発光ダイオードの発熱量は小さくても、ＬＥＤモジュール全体での発熱量が大きくなり、発光ダイオードの長寿命や性能などを維持する点からＬＥＤモジュールの放熱が不可欠となっている。
【０００３】
そこで、ＬＥＤモジュールの放熱性に優れた照明器具が提案されている（例えば特許文献１参照。）。この従来技術の照明器具は、１枚のアルミニウムにより構成された長尺の肉厚部とこの肉厚部の二つの長辺側にそれぞれ連設された長尺の薄肉部とを有する反射板を備え、前記肉厚部の表面にＬＥＤモジュール（ＬＥＤ基板）が配設されている。
【０００４】
そして、前記肉薄部は、その表面が幅方向に凹凸する凹凸面に形成され、天井との間に間隙が生じる形状の弓形状部に形成されている。発光ダイオードに発生した熱は、肉厚部を介して肉薄部へと伝達し、肉薄部により放熱される。そして、前記間隙を狭くすることによって、反射板と天井の空間から間隙を通して反射板の外側に向かって対流を発生させ、反射板の熱を放熱させ易くすることができるというものである。
【先行技術文献】
【特許文献】
【０００５】
【特許文献１】特開２０１０−１００８７号公報（第３〜４頁、第１〜３図）
【発明の概要】
【発明が解決しようとする課題】
【０００６】
特許文献１の照明器具は、放熱性に優れた構造にするために、反射板に弓形状部の肉薄部を形成しているので、その幅方向が大きくなっている。
【０００７】
本発明は、幅小で小型化が可能であって放熱性を有するＬＥＤ照明器具を提供することを目的とする。
【課題を解決するための手段】
【０００８】
請求項１に記載のＬＥＤ照明器具の発明は、発光ダイオードが一方の面側に実装された長形の基板を有するＬＥＤモジュールと；前記基板の他方の面側が取付けられた金属製の放熱板と；一対の長形の側板と、この一対の側板が正対し一対の側板の短手方向の上端間に開口を形成するように一対の側板の長手方向の両端にそれぞれ設けられた一対の端板を有し、放熱板が前記開口に露出するように前記基板が一対の側板間に一対の側板の長手方向に沿って配設された器具本体と；造営物に取付けられたシャーシと；シャーシまたは造営物と器具本体の一対の側板の上端縁との間に器具本体の内側と器具本体の外部空間とを連通する隙間が形成されるように器具本体をシャーシに取付ける取付手段と；を具備していることを特徴とする。
【０００９】
本発明および以下の発明において、特に言及しない限り、各構成は以下による。
【００１０】
「長形」とは、縦方向、横方向の大きさ（寸法）のうち、例えば横方向の大きさが大きいことを意味する。すなわち、基板は、一般的に、長方形に形成されるが、これに限らず、長方形から変形しているものも許容される。
【００１１】
放熱板は、熱伝導度率が大きいほどよく、例えばアルミニウム（Ａｌ）やニッケル（Ｎｉ）で形成することができる。
【００１２】
造営物は、例えば、天井や天井から吊り下げられあるいは壁等に支持されたボードである。
【００１３】
「隙間がシャーシまたは造営物と器具本体の一対の側板の上端縁との間に形成される」とは、シャーシが器具本体の一対の側板の上端間の開口よりも大きいときは、隙間がシャーシと器具本体の一対の側板の上端縁との間に形成され、シャーシが器具本体の開口よりも小さいときは、隙間が造営物と器具本体の一対の側板の上端縁との間に形成されることを意味する。
【００１４】
取付手段は、ネジ、バネ材、ラッチ金具など、器具本体をシャーシに固定するものであればよい。
【００１５】
発光ダイオードは、点灯装置により点灯される。点灯装置は、シャーシに配設されていてもよく、器具本体内に配設されていてもよく、シャーシおよび器具本体と別置され、例えば造営物に配設されていてもよい。
【００１６】
本発明によれば、発光ダイオードに発生した熱は、ＬＥＤモジュールの基板から放熱板に伝熱され、放熱板から器具本体の一対の側板間の内部空間に放出される。ここで、放熱板は、器具本体の開口に露出しているので、当該内部空間が大きく、当該内部空間への放熱が遮られなく迅速に行われる。当該内部空間の空気は、温度上昇し、器具本体の開口からシャーシまたは造営物と器具本体との間に形成された隙間を通過して器具本体の外部空間に流れる。これにより、発光ダイオードに発生した熱は、器具本体の外部空間に迅速に放出されて、発光ダイオードの温度上昇が抑制される。
【００１７】
請求項２に記載のＬＥＤ照明器具の発明は、請求項１記載のＬＥＤ照明器具の発明において、シャーシは、前記発光ダイオードを点灯する点灯装置を配設し、この点灯装置が前記開口から前記一対の側板間に収容されるように器具本体が取付けられていることを特徴とする。
【００１８】
本発明によれば、点灯装置がシャーシに取付けられて器具本体の一対の側板間に収容されるので、点灯装置を具備するＬＥＤ照明器具が提供される。
【発明の効果】
【００１９】
請求項１の発明によれば、発光ダイオードに発生した熱は、器具本体の内部空間からシャーシまたは造営物と器具本体の一対の側板の上端縁との間に形成された隙間を通って器具本体の外部空間に迅速に放出されるので、発光ダイオードの温度上昇を抑制することができて、発光ダイオードの長寿命および性能などの特性を維持することができるとともに、器具本体の短手方向の大きさが一対の側板間の間隔により決定されるので、器具本体を幅小にすることができて、小型化されるＬＥＤ照明器具を提供することができる。
【００２０】
請求項２の発明によれば、点灯装置がシャーシに取付けられて器具本体の一対の側板間に収容されるので、点灯装置が配設される小型化されたＬＥＤ照明器具を提供することができる。
【図面の簡単な説明】
【００２１】
【図１】本発明の実施例１を示すＬＥＤ照明器具の概略縦断面図。
【図２】同じく、取付手段による取付状態を示すＬＥＤ照明器具の一部拡大概略縦断面図。
【図３】同じく、ＬＥＤ照明器具を示し、（ａ）は概略正面図、（ｂ）は概略下面図。
【図４】同じく、端板を示し、（ａ）は概略背面図、（ｂ）は概略側面図。
【図５】同じく、ＬＥＤ照明器具の概略斜視図。
【図６】本発明の実施例２を示すＬＥＤ照明器具の概略縦断面図。
【発明を実施するための形態】
【００２２】
以下、本発明の一実施の形態について、図面を参照して説明する。
【００２３】
本発明において、器具本体は、一対の長形の側板と、この一対の側板の長手方向にそれぞれ設けられ、一対の側板の短手方向の上端間に開口を有するように一対の側板を正対させる一対の端板を備えていて、ＬＥＤモジュールを取付けている放熱板が前記開口に露出するように一対の側板間にＬＥＤモジュールを配設している。そして、器具本体は、シャーシまたは造営物と一対の側板の上端縁との間に隙間を形成するようにして、シャーシに取付けられている。
【００２４】
発光ダイオードに発生した熱は、放熱板から器具本体の一対の側板間の空気に伝熱される。そして、当該空気は、温度上昇し、前記隙間を通って器具本体の外部空間に流れる。これにより、発光ダイオードの温度上昇が抑制される。
【００２５】
ＬＥＤ照明器具の大きさは、一対の長形の側板の長手方向の全長と、正対する一対の側板の両端間長によりほぼ決定されるので、ＬＥＤ照明器具は、幅小とすることができて小型化される。
【実施例１】
【００２６】
図１ないし図５は、本発明の実施例１を示し、図１はＬＥＤ照明器具の概略縦断面図、図２は取付手段による取付状態を示すＬＥＤ照明器具の一部拡大概略縦断面図、図３はＬＥＤ照明器具を示し、（ａ）は概略正面図、（ｂ）は概略下面図、図４は端板を示し、（ａ）は概略背面図、（ｂ）は概略側面図、図５はＬＥＤ照明器具の概略斜視図である。
【００２７】
図１において、ＬＥＤ照明器具１は、ＬＥＤモジュール２、放熱板３、器具本体４、シャーシ５および取付手段としての取付け金具６を有して構成されている。ＬＥＤ照明器具１は、造営物としての天井７に直付けされる直付型照明器具である。
【００２８】
ＬＥＤモジュール２は、発光ダイオード８および基板９を有して形成されている。発光ダイオード８は、ＬＥＤチップを有する面実装タイプの素子であり、可視光例えば白色光を放射するように形成されている。基板９は、例えば１ｍｍの厚さを有するアルミニウム（Ａｌ）板からなり、長方形に形成され、図示しない絶縁層を介して一方の面９ａ側の短手方向中央部に、その長手方向に亘って複数個の発光ダイオード８を所定の間隔で直線状に実装している。発光ダイオード８は、基板９に形成された図示しない配線パターンにより直列接続されている。
【００２９】
放熱板３は、比較的高い熱伝導率を有する金属例えばアルミニウム（Ａｌ）からなり、平面状に形成された長方形の底板部１０およびこの底板部１０の短幅方向の両端から拡開状に連設する一対の傾斜板部１１，１１を有している。底板部１０には、基板９の他方の面９ｂ側が取付けられている。すなわち、底板部１０は、基板９の他方の面９ｂ側を密接するようにして、基板９を図示しないネジにより取付けている。また、底板部１０は、図３（ｂ）または図５に示すように、長方形の長手方向に沿って例えば４個のＬＥＤモジュール２（基板９）を直線状に連続的に取付けている。すなわち、放熱板３には、ＬＥＤモジュール２が複数個取付けられている。
【００３０】
一対の傾斜板部１１，１１は、図１に示すように、底板部１０の短幅方向の両端からＬＥＤモジュール２の基板９を挟み互いに次第に拡開する傾斜面を有するように形成されている。そして、一対の傾斜板部１１，１１の内面１１ａ，１１ａは、例えば白色塗装されて反射面に形成されている。
【００３１】
器具本体４は、一対の長形の側板１２，１２と、この一対の側板１２，１２の長手方向の両端１２ｇ，１２ｈ（図３に示す。）にそれぞれ設けられた一対の端板１３，１３を有して構成されている。一対の側板１２，１２および一対の端板１３，１３は、例えば鋼板により形成されている。
【００３２】
一対の側板１２，１２は、一対の側板上部１２ａ，１２ａ、一対の側板下部１２ｂ，１２ｂおよび一対の側板上端部１２ｃ，１２ｃに形成されている。一対の側板上部１２ａ，１２ａは、一対の側板１２，１２の長形の短手方向の中間部１２ｄ，１２ｄから短手方向の上端１２ｅ，１２ｅ側に向かって互いに次第に拡開する傾斜面に形成されている。そして、一対の側板上部１２ａ，１２ａには、一対の側板１２，１２の長形の長手方向の両端１２ｇ，１２ｈ（図３に示す。）側に、係止孔１５，１５がそれぞれ形成されている。この係止孔１５，１５は、それぞれ長方形に形成され、一対の側板１２，１２の互いに正対する位置に対を成すように設けられている。
【００３３】
一対の側板下部１２ｂ，１２ｂは、一対の側板１２，１２の長形の短手方向の中間部１２ｄ，１２ｄから短手方向の下端１２ｆ，１２ｆ側に向かって互いに次第に拡開する傾斜面に形成されている。そして、一対の側板下部１２ｂ，１２ｂは、それぞれの傾斜面が放熱板３の一対の傾斜板部１１，１１の傾斜面に隙間を形成して接近または近接するようにして略同じ傾斜角度で形成されている。
【００３４】
一対の側板上端部１２ｃ，１２ｃは、一対の側板上部１２ａ，１２ａにそれぞれ連設され、一対の側板１２，１２の長形の短手方向の上端１２ｅ，１２ｅ側に中間部１２ｄ，１２ｄに対して起立する鉛直面に形成されている。
【００３５】
そして、一対の側板下部１２ｂ，１２ｂの下端１２ｆ，１２ｆ側は、一対の側板１２，１２の長形の長手方向に亘って、互いに向き合う突出部１４，１４に形成されている。突出部１４，１４は、一対の側板下部１２ｂ，１２ｂの下端１２ｆ，１２ｆの内面より５〜１５ｍｍ突出している。
【００３６】
一対の端板１３，１３は、それぞれ外形が一対の側板１２，１２の内面に沿う平板部１６，１６を有して形成され、一対の側板１２，１２の長手方向の両端１２ｇ，１２ｈの内面にそれぞれ設けられている。すなわち、一対の端板１３，１３の配設により、一対の側板１２，１２が所定の間隔で正対し、一対の側板１２，１２の短手方向の上端１２ｅ，１２ｅ間に開口としての上方開口１７を、同じく下端１２ｆ，１２ｆ（突出部１４，１４）間に下方開口１８をそれぞれ有するように略筒状枠体を構成している。
【００３７】
一対の端板１３，１３は、図４に示すように、それぞれ側方端１３ａ，１３ａに平板部１６の平面に直交し、一対の側板１２，１２の各内面に密接または近接する補強片１９ａ〜１９ｄが平板部１６から突出して設けられている。また、上端１３ｂに補強片１９ｅが、下端１３ｃに補強片１９ｆがそれぞれ上記同様に突出形成されている。これらの補強片１９ａ〜１９ｆは、薄板の端板１３，１３の変形を防止する。
【００３８】
また、一対の補強片１９ａ，１９ａおよび一対の補強片１９ｄ，１９ｄは、一対の側板１２，１２を取付ける取付片となっている。すなわち、図１に示すように、一対の補強片１９ａ，１９ａは、一対の側板１２，１２の一対の側板上端部１２ｃ，１２ｃの内面に、側板上端部１２ｃとその先端側の折り返し部１２ｃａ（図２に示す。）とより共締めされている。また、一対の補強片１９ｄ，１９ｄは、一対の側板１２，１２の一対の側板下部１２ｂ，１２ｂの内面にリベット２０により取付けられている。一対の側板下部１２ｂ，１２ｂには、リベット２０を挿通させる図示しない孔が形成され、一対の補強片１９ｄ，１９ｄには、リベット２０を挿通させる孔２１（図４（ｂ）に示す。）が形成されている。
【００３９】
そして、一対の端板１３，１３は、その平板部１６，１６の外面が一対の側板１２，１２の長手方向の両端１２ｇ，１２ｈの端面からそれぞれ幾分例えば０．５〜１．０ｍｍ突出するようにして、一対の側板１２，１２を取付けている。こうして、一対の端板１３，１３は、一対の側板１２，１２の長手方向の一端１２ｇ，１２ｇ間および他端１２ｈ，１２ｈ間を閉塞している。これにより、器具本体４には、上方開口１７および下方開口１８が形成される。
【００４０】
一対の端板１３，１３が一対の側板１２，１２に取付けられて器具本体４が組み立てられると、放熱板３の一対の傾斜板部１１，１１と、一対の側板１２，１２の一対の側板下部１２ｂ，１２ｂとが接近し、一対の側板１２，１２の中間部１２ｄ，１２ｄの内面間の間隔Ｌ１は、放熱板３の底板部１０の短幅よりも小さくなる。平板部１６，１６は、こうした寸法条件を満たすように、その大きさが設定されている。
【００４１】
放熱板３は、例えば、一対の側板１２，１２の長手方向の一端側１２ｇ，１２ｇに一方の端板１３を取付けた後、他端側１２ｈ，１２ｈから一対の側板下部１１，１１間に挿入されて収容される。このとき、放熱板３の一対の傾斜板部１１，１１と、器具本体４の一対の突出部１４，１４との間に透光性カバー２２が挿入される。そして、一対の側板１２，１２の長手方向の他端側１２ｈ，１２ｈに他方の側板１３が取付けられる。
【００４２】
透光性カバー２２は、例えばアクリル樹脂からなり、長方形に形成されて、器具本体４の下方開口１８を略閉塞している。
【００４３】
放熱板３および透光性カバー２２は、一対の端板１３，１３により、一対の側板１２，１２の長手方向への移動が規制される。すなわち、放熱板３および透光性カバー２２は、一対の側板１２，１２の長手方向へ移動しようとすると、端板１３の平板部１６に当接して位置規制される。
【００４４】
また、放熱板３および透光性カバー２２は、器具本体４の上方開口１７側および下方開口１８側への移動が規制されている。すなわち、上方開口１７側へ移動しようとすると、一対の側板１２，１２の中間部１２ｄ，１２ｄの内面の間隔Ｌ１が放熱板３の底板部１０の短幅よりも小さいので、放熱板３の底板部１０が前記中間部１２ｄ，１２ｄの内面に達する前に一対の側板下部１２ｂ，１２ｂのそれぞれの内面に当接する。また、下方開口１８側への移動は、透光性カバー２２が一対の突出部１４，１４に当接することにより阻止される。
【００４５】
こうして、放熱板３および透光性カバー２２は、ネジ等の固定手段により固定されることなく、一対の側板１２，１２の一対の側板下部１２ｂ，１２ｂ間に収容されている。これにより、放熱板３の底板部１０は、器具本体４の上方開口１７に露出している。また、ＬＥＤモジュール２の基板９は、一対の側板１２，１２の一対の側板下部１２ｂ，１２ｂ間に一対の側板１２，１２の長手方向に沿って配設されている。したがって、発光ダイオード８の放射光は、一対の側板１２，１２の長手方向に亘って下部開口１８から外部空間に出射される。
【００４６】
シャーシ５は、１枚の例えば鋼板からなり、長方形の平面部２３と、この平面部２３の短手方向の両端が平面部２３の長手方向に亘って平面部２３に対して直角に折り曲げられた一対の起立片２４，２４に形成されている。一対の起立片２４，２４は、シャーシ５を補強するために形成されている。平面部２３の背面２３ｂには、複数個の突部２５が形成されている。この突部２５は、天井面７ａとシャーシ５との間に隙間を形成して、シャーシ５に取付けられるネジ等が天井面７ａに干渉しないようにしている。
【００４７】
また、シャーシ５は、その短手方向の寸法が器具本体４の上方開口１７の短幅寸法よりも小さく、その長手方向の寸法が器具本体４の上方開口１７の長手寸法よりも小さくなるように形成されている。すなわち、シャーシ５は、その大きさが器具本体４の上方開口１７よりも小さく形成されている。
【００４８】
シャーシ５は、図示しないネジにより、その平面部２３が突部２５を介して造営物としての天井７の天井面７ａに取付けられている。平面部２３には、発光ダイオード８を点灯する点灯装置２６が配設されている。点灯装置２６は、図示しないネジにより、平面部２３の前面２３ａに取付けられている。また、平面部２３の前面２３ａには、図３（ａ）に示すように、電源端子２７が図示しないネジにより取付けられている。
【００４９】
点灯装置２６は、図示しない入力線を引き出しており、この入力線は、電源端子２７に接続されている。電源端子２７には、平面部２３および天井７にそれぞれ形成された図示しない孔を挿通して天井７の裏側から導入された電源線が接続されている。入力線および電源線は、電源端子２７において電気接続されている。
【００５０】
また、点灯装置２６は、図１に示すように、出力線２８を引き出しており、この出力線２８の先端には、雄コネクタ２９が取付けられている。各ＬＥＤモジュール２の基板９の他方の面９ｂには、中継端子３０がそれぞれ配設されている。放熱板３の底板部１０には、中継端子３０が挿通される図示しない孔が形成されている。中継端子３０は、基板９に形成されている配線パターンに電気接続している。そして、中継端子３０は、先端に雌コネクタ３１が取付けられたリード線３２を接続している。
【００５１】
出力線２８の雄コネクタ２９をリード線３２の雌コネクタ３１に接続することにより、点灯装置２６は、各ＬＥＤモジュール２の基板９において直列接続している発光ダイオード８の両端間に接続される。すなわち、点灯装置２６には、発光ダイオード８が直並列接続される。
【００５２】
点灯装置２６は、入力した交流電圧を直流電圧に変換して、定電流を発光ダイオード８に供給する周知回路を有して構成されている。発光ダイオード８は、点灯装置２６から供給される定電流が流れることにより点灯し、可視光例えば白色光を放射する。
【００５３】
取付手段としての取付け金具６は、器具本体４をシャーシ５に取付けるものであり、図３に示すように、シャーシ５の長手方向の両端側５ａ，５ｂにそれぞれ配設されている。そして、シャーシ５における当該配設位置は、器具本体４の一対の側板１２，１２の一対の側板上部１２ａ，１２ａに形成された係止孔１５，１５に対応して設けられている。
【００５４】
取付け金具６は、例えば５〜２０ｍｍの比較的幅小の１枚の金属板例えば鋼板を折り曲げて形成している。また、バネ性を有するように、例えば1〜２ｍｍの肉厚の金属板を用いて形成している。
【００５５】
取付け金具６は、図１に示すように、固定板３２、この固定板３２の両端に連設する一対の揺動板３３，３３およびこの一対の揺動板３３，３３にそれぞれ連設する一対の係合板３４，３４に形成されている。固定板３２は、平面状であり、複数個のネジ３５およびナット３６によりシャーシ５の平面部２３の前面２３ａに取付けられている。一対の揺動板３３，３３は、固定板３２から遠ざかるにつれ互いに次第に拡開するように形成されている。
【００５６】
一対の係合板３４，３４は、図２に示すように、それぞれ固定板３２と略平行となる方向であって、互いに遠ざかる反対側に突出する係合部３４ａおよびこの係合部３４ａから上側にカールされて互いに近づく方向に折り返された折り返し部３４ｂに形成されている。折り返し部３４ｂは、先端側が自由端であり、係合部３４ａとの隙間が伸縮するバネ性を有している。また、一対の揺動板３３，３３は、固定板３２の両端をそれぞれ支点として一対の揺動板３３，３３を結ぶ方向であって互いに近づく方向に振れるとともに弾性復帰するバネ性を有している。
【００５７】
そして、一対の係合板３４，３４は、図１に示すように、一対の側板１２，１２の一対の側板上部１２ａ，１２ａに形成された係止孔１５，１５に、一対の揺動板３３，３３の弾性復帰力によりそれぞれ挿入されるものである。一対の係合板３４，３４は、係止孔１５，１５に挿入されると、その係合部３４ａ，３４ａおよび折り返し部３４ｂ，３４ｂが一対の側板上部１２ａ，１２ａのそれぞれの外面から外方に突出し、係止孔１５，１５の縁部または内壁面により挟持される。そして、その反作用によって、係合部３４ａおよび折り返し部３４ｂが係止孔１５の縁部または内壁面に当接することにより、取付け金具６は、器具本体４を支持してシャーシ５に取付ける。
【００５８】
そして、取付け金具６が器具本体４をシャーシ５に取付けている状態で、一対の側板１２，１２の一対の側板上端部１２ｃ，１２ｃのそれぞれの上端縁および一対の端板１３，１３の上端１３ａ，１３ａのそれぞれの上端縁と、天井面７ａとの間に隙間３７が形成されるように、一対の揺動板３３，３３の全長が設定されている。隙間３７は、器具本体４の上方開口１７および内側と、器具本体４の外部空間とを連通させる。
【００５９】
器具本体４をシャーシ５に取付けるときには、一対の係合板３４，３４が一対の側板１２，１２の一対の側板上端部１２ｃ，１２ｃの内面にそれぞれ当接される。このとき、前もって雄コネクタ２９と雌コネクタ３１を接続する。そして、一対の揺動板３３，３３および一対の係合板３４，３４がそれぞれ互いに近づくように、一対の係合板３４，３４を押圧する。例えば手で一対の係合板３４，３４を掴んで、一対の係合板３４，３４に力を加える。一対の係合板３４，３４が一対の側板上端部１２ｃ，１２ｃの内面に当接すると、一対の揺動板３３，３３は、固定板３２を支点として、一対の揺動板３３，３３を結ぶ方向で互いに近づくように振れる。
【００６０】
そして、一対の係合板３４，３４は、器具本体４がシャーシ５に近づくように移動されるにしたがい、器具本体４の下方開口１８側に器具本体４を摺動しながら移動し、一対の側板上端部１２ｃ，１２ｃの内面から一対の傾斜上部１２ａ，１２ａの内面に当接する。そして、一対の傾斜上部１２ａ，１２ａに形成された係止孔１５，１５に達すると、一対の揺動板３３，３３の弾性復帰力により、一対の係合板３４，３４が係止孔１５，１５に挿入する。こうして、器具本体４は、取付け金具６によってシャーシ５に取付けられる。
【００６１】
逆に、器具本体４をシャーシ５から取外すときには、器具本体４を支えながら一対の係合板３４，３４を一対の傾斜上部１２ａ，１２ａの内側に押し込み、当該内面に当接させる。そして、器具本体４をシャーシ５から遠ざけるように移動させると、一対の係合板３４，３４は、やがて器具本体４の上方開口１７から開放される。これにより、器具本体４は、シャーシ５から取外れる。
【００６２】
次に、本発明の実施例１の作用について述べる。
【００６３】
点灯装置２６に交流電源が供給されると、点灯装置２６が動作して、各ＬＥＤモジュール２に定電流が供給され、発光ダイオード８が点灯する。発光ダイオード８から可視光例えば白色光が放射されるとともに、熱が発生する。この熱は、ＬＥＤモジュール２の基板９から放熱板３に伝熱され、さらに放熱板３から器具本体４の一対の側板１２，１２間の内部空間に放出される。
【００６４】
一対の側板１２，１２間には、点灯装置２６が収容されているが、当該内部空間は大きい。また、放熱板３の底板部１０は、器具本体４の上方開口１７に露出しているので、当該内部空間への放熱が遮られなく迅速に行われる。そして、当該内部空間の空気は、温度上昇し、熱膨張して、器具本体４の上方開口１７から天井面９ａと器具本体４との間に形成された隙間３７を通過して器具本体４の外部空間に流れる。
【００６５】
このように、発光ダイオード８に発生した熱は、器具本体４の外部空間に迅速に放出される。したがって、発光ダイオード８の温度上昇を抑制することができて、発光ダイオード８の長寿命および性能などの特性を維持することができる。
【００６６】
そして、放熱板３は、器具本体４内に配設され、器具本体４の短手方向の大きさが一対の側板１２，１２間の間隔により決定されるので、器具本体４を幅小にすることができて、小型化されるＬＥＤ照明器具１を提供することができる。
【００６７】
また、シャーシ５の大きさが器具本体４の上方開口１７よりも小さく、点灯装置２６がシャーシ５の前面２８ａ側に取付けられて器具本体４の一対の側板１２，１２間に収容されるので、点灯装置２６が配設される小型化されたＬＥＤ照明器具１を提供することができる。
【実施例２】
【００６８】
図６は、本発明の実施例２を示すＬＥＤ照明器具の概略縦断面図である。なお、図１と同一部分には、同一符号を付して説明は省略する。
【００６９】
図６に示すＬＥＤ照明器具３８は、図１に示すＬＥＤ照明器具１において、傾斜面を有する一対の側板下部１２ｂ，１２ｂが鉛直面を有する一対の側板下部１２ｂＡ，１２ｂＡに形成されたものである。そして、放熱板３Ａは、平面に形成されている。
【００７０】
一対の側板下部１２ｂＡ，１２ｂＡには、一対の突出部１４，１４に載置した断面コ字形の取付け部材３９，３９がリベット２０，２０により取付けられている。当該取付け部材３９，３９に、ネジ４０およびナット４１により、放熱板３Ａが取付けられている。取付け部材３９，３９には、器具本体４Ａの外部空間と内部空間を通気する小孔４２が長手方向に所定間隔で形成されている。
【００７１】
一対の突出部１４，１４間は開放されている。そして、ＬＥＤモジュール２の発光ダイオード８側は、図示しない絶縁性かつ透光性の樹脂で被覆されている。
【００７２】
ＬＥＤ照明器具３８は、図１に示すＬＥＤ照明器具１と同様に、発光ダイオード８の温度上昇が抑制されて、発光ダイオード８の長寿命および性能などの特性を維持することができるとともに、点灯装置２６を配設していても小型化することができる。
【産業上の利用可能性】
【００７３】
本発明は、天井等の造営物に直付けされる照明器具に用いることができる。
【符号の説明】
【００７４】
１，３８…ＬＥＤ照明器具、  ２…ＬＥＤモジュール、  ３，３Ａ…放熱板、  ４，４Ａ…器具本体、  ５…シャーシ、  ６…取付手段としての取付け金具、  ８…発光ダイオード、  ９…基板、  １２，１２…一対の側板、  １３，１３…一対の端板、  １３Ａ…端板、  １７…開口としての上方開口
【図１】
2011187316.tif 000003
【図２】
2011187316.tif 000004
【図３】
2011187316.tif 000005
【図４】
2011187316.tif 000006
【図５】
2011187316.tif 000007
【図６】
2011187316.tif 000008